(57)【要約】【課題】  本発明は魚釣用リールに係り、ブレーキ調節ツマミの良好な回動操作性を確保しつつ、釣糸の係止を確実に行える糸止めを備えた魚釣用リールを提供することを目的とする。【解決手段】  請求項１に係る発明は、リール本体に回転自在に支持したスプールに制動力を付与するブレーキ調節ツマミを、リール本体の一方の側板に設けた魚釣用リールに於て、前記ブレーキ調節ツマミの外周に環状凹部を設け、該環状凹部内に、釣糸の係止が可能で、前記ブレーキ調節ツマミの外径よりも小径な環状の弾性部材を装着したことを特徴とする。そして、請求項２に係る発明は、請求項１に記載の魚釣用リールに於て、前記ブレーキ調節ツマミの外周に、回動操作部と前記環状凹部を軸方向に分離して形成し、該環状凹部内に装着する前記弾性部材を、回動操作部の外径よりも小径としたことを特徴とする。【選択図】    図２
2009171914.tif 000002
【特許請求の範囲】
【請求項１】
リール本体に回転自在に支持したスプールに制動力を付与するブレーキ調節ツマミを、リール本体の一方の側板に設けた魚釣用リールに於て、
前記ブレーキ調節ツマミの外周に環状凹部を設け、該環状凹部内に、釣糸の係止が可能で、前記ブレーキ調節ツマミの外径よりも小径な環状の弾性部材を装着したことを特徴とする魚釣用リール。
【請求項２】
前記ブレーキ調節ツマミの外周に、回動操作部と前記環状凹部を軸方向に分離して形成し、該環状凹部内に装着する前記弾性部材を、回動操作部の外径よりも小径としたことを特徴とする請求項１に記載の魚釣用リール。
【請求項３】
前記環状凹部の軸方向外側に、該環状凹部側からブレーキ調節ツマミの外端部に向けて順次小径で、環状凹部の底径より最大径が大径なテーパ面を設けたことを特徴とする請求項１または請求項２に記載の魚釣用リール。
【請求項４】
前記テーパ面の最大径を、前記回動操作部の外径より小径としたことを特徴とする請求項３に記載の魚釣用リール。
【発明の詳細な説明】
【技術分野】
【０００１】
本発明は、釣糸を係止する糸止めを備えた魚釣用リールに関する。
【背景技術】
【０００２】
従来、魚釣用リールのスプールに巻回された釣糸の巻き終わり端部を係止しておく糸止め（釣糸係止装置）として、図６，７に示すように、リール本体１に回転自在に支持したスプール３に制動力を付与するブレーキ調節ツマミ（以下、「調節ツマミ」という）５の外周に周溝７を設け、該周溝７内に複数本のＯ−リング９を嵌合巻回して、このＯ−リング９の間に釣糸１１の巻き終わり端部を係止可能（挟持可能）とした糸止め１３が特許文献１に開示されている。
【特許文献１】実用新案登録第３００５４５５号公報
【発明の開示】
【発明が解決しようとする課題】
【０００３】
しかし乍ら、図７に示すように前記糸止め１３は、調節ツマミ５の外周にＯ−リング９を外方に突出させて巻回した構造上、異物や魚のヌメリ，水分等が付着した指の腹部にＯ−リング９が接触するため、調節ツマミ５の回動操作がし難くなってしまう虞があった。
【０００４】
また、異物や魚のヌメリ，水分等がＯ−リング９に付着すると、Ｏ−リング９が劣化して釣糸１１に対する係止力が低下し、更に、調節ツマミ５の回動操作時にＯ−リング９が脱落してしまう虞もあった。
【０００５】
本発明は斯かる実情に鑑み案出されたもので、前記糸止めに改良を加え、調節ツマミの良好な回動操作性を確保しつつ、釣糸の係止を確実に行える糸止めを備えた魚釣用リールを提供することを目的とする。
【課題を解決するための手段】
【０００６】
斯かる目的を達成するため、請求項１に係る発明は、リール本体に回転自在に支持したスプールに制動力を付与する調節ツマミを、リール本体の一方の側板に設けた魚釣用リールに於て、前記調節ツマミの外周に環状凹部を設け、該環状凹部内に、釣糸の係止が可能で、前記調節ツマミの外径よりも小径な環状の弾性部材を装着したことを特徴とする。
【０００７】
そして、請求項２に係る発明は、請求項１に記載の魚釣用リールに於て、前記調節ツマミの外周に、回動操作部と前記環状凹部を軸方向に分離して形成し、該環状凹部内に装着する前記弾性部材を、回動操作部の外径よりも小径としたことを特徴とする。
【０００８】
また、請求項３に係る発明は、請求項１または請求項２に記載の魚釣用リールに於て、前記環状凹部の軸方向外側に、該環状凹部側から調節ツマミの外端部に向けて順次小径で、環状凹部の底径より最大径が大径なテーパ面を設けたことを特徴とし、請求項４に係る発明は、請求項３に記載の魚釣用リールに於て、前記テーパ面の最大径を、前記回動操作部の外径より小径としたことを特徴とする。
【発明の効果】
【０００９】
各請求項に係る発明によれば、調節ツマミの回動操作性が良好になると共に、調節ツマミの回動操作時に弾性部材が脱落してしまうことがなく、また、手に付着した魚のヌメリや水分等が弾性部材に付着することがないため、弾性部材が劣化することがなくなって糸止めによる釣糸の係止が確実に行えることとなった。
【００１０】
また、請求項３に係る発明によれば、弾性部材の環状凹部内への装着や、釣糸の糸止めへの係止誘導をテーパ面を介して容易に行うことができる。
【００１１】
更にまた、請求項４に係る発明によれば、環状凹部への弾性部材の装着が、環状凹部の回動操作部側の壁面度当て作用によって確実に行える利点を有する。
【発明を実施するための最良の形態】
【００１２】
以下、本発明の実施形態を図面に基づいて詳細に説明する。
【００１３】
図１乃至図３は請求項１乃至請求項４の第一実施形態に係る魚釣用リールを示し、図１に於て、１５，１７はフレーム１９の左右の側枠２１，２３に取り付く側板で、左側の側板１５は、側枠２１に螺着される環状リング２５によって該側枠２１に着脱自在に取り付き、右側の側板１７は、側枠２３に螺着されるネジ２７によって該側枠２３に着脱自在に取り付けられている。そして、両側板１５，１７とフレーム１９とで魚釣用リール２９のリール本体３１が構成され、側板１５，１７と側枠２１，２３は側面視円形状に形成されている。
【００１４】
尚、図示しないが前記側枠２１，２３間の上部に平坦なプレート状のサムレストが一体に架設され、側枠２１，２３間の下部に一対のリール脚がリール本体３１の前後に分割して一体に架設されており、前記側枠２１，２３とサムレスト，リール脚によって前記フレーム１９が構成されている。
【００１５】
そして、両側板１５，１７間に、該側板１５と側枠２３に装着した軸受３３，３５によってスプール軸３７が回転可能に支持されており、該スプール軸３７にスプール３９が一体的に取り付けられている。そして、スプール３９前方の側枠２１，２３（側板１５，１７）間に周知のレベルワインド機構４１が、また、スプール３９後方の側枠２１，２３（側板１５，１７）間に、スプール３９をスプールフリー状態（クラッチＯＦＦ）と釣糸巻取り状態（クラッチＯＮ）とに切り換える周知のクラッチ機構４３のクラッチレバー（図示せず）が、夫々、振り分け配置されている。
【００１６】
図１中、４５は前記スプール軸３７の径方向外方に突出したピンからなるクラッチ機構４３のクラッチ部で、該クラッチ部４５に係脱可能なピニオンギヤ４７が、側枠２３と側板１７に装着した軸受４９，５１によって、スプール軸３７と後述する押圧軸５２とに回転可能且つその軸方向へ往復動可能に取り付けられている。尚、図中、５３はスプール軸３７の端部と押圧軸５２の端部が当接する当接部である。
【００１７】
そして、クラッチレバーを下方へ押圧操作すると、ピニオンギヤ４７の外周に設けた環状溝５４に係合するクラッチプレート５５が、クラッチ部４５に対するピニオンギヤ４７のクラッチ結合を解除してスプール３９をスプールフリー状態に切り換え、また、後述するハンドル５７の巻取り操作で、周知の自動復帰装置によりピニオンギヤ４７が前記クラッチ部４５にクラッチ結合して、スプール３９が釣糸巻取り状態に自動復帰するようになっている。
【００１８】
また、図１中、５７は側板１７側に装着された釣糸巻取り用のハンドルで、該ハンドル５７が連結されたハンドル軸５９に、前記ピニオン４７に噛合するドライブギヤ６１が周知のドラグ６３によって摩擦結合されており、スプール３９の巻取り駆動状態でハンドル５７を巻き取り操作すると、その回転力がドライブギヤ６１，ピニオン４７からスプール軸３７に伝達されてスプール３９が釣糸巻取り方向へ回転する。そして、既述したようにクラッチレバーによるクラッチＯＦＦの操作で、クラッチ部４５とピニオン４７とのクラッチ係合が解除されて、スプール軸３７へのハンドル５７の回転力が遮断されるようになっている。また、ハンドル５７の巻取り操作に伴い、前記レベルワインド機構４１によって釣糸がスプール３９の釣糸巻回胴部６５に均一に巻回され、キャスティング動作に伴い、釣糸巻回胴部６５に巻回された釣糸が均一に繰り出されるようになっている。
【００１９】
そして、本実施形態に係る魚釣用リール２９も、側板１７に装着した調節ツマミ６７の回動操作で前記押圧軸５２を介してスプール軸３７を軸方向に押圧して、スプール軸３７の端部に摩擦部材７１と押圧軸５２の端部を圧接して、スプール回転に制動力を付与する軸端圧接方式の制動力付与手段７３が装着されているが、図１乃至図３に示すように本実施形態は、前記調節ツマミ６７に、釣糸７５の巻き終わり端部７７を係止する糸止め７９を設けたことを特徴とする。
【００２０】
図２及び図３は制動力付与手段７３と糸止め７９の詳細を示し、図中、８１はハンドル５７側の側板１７に挿着された支持筒部、８３は該支持筒部８１の先端側外周に螺刻されたネジ部で、該ネジ部８３の先端に半径方向に延びる溝部８５が形成され、該溝部８５に、スプール軸３７を押圧する押圧軸５２の一端８７が、スプール軸３７と軸心を同じくして軸方向へ移動可能に回り止めされている。そして、前記ネジ部８３に調節ツマミ６７が回動操作可能に螺着している。
【００２１】
図２に示すように調節ツマミ６７は、大径な回動操作部８９と、該回動操作部８９の軸方向に形成されてこれよりも小径な小径部９１とで構成され、小径部９１の内周に前記ネジ部８３に螺合するネジ部９３が形成されている。そして、小径部９１の内底に金属板９５とフェルト製のあて布からなる摩擦部材６９が装着され、該摩擦部材６９に押圧軸５２の一端８７が当接している。
【００２２】
一方、図１に示すようにスプール軸３７の軸受３３側の端部９７に、摩擦板からなる摩擦部材７１が当接しており、回動操作部８９を摘んで調節ツマミ６７を回動操作すると、押圧軸５２を介してスプール軸３７を軸方向に押圧し、スプール軸３７の端部に摩擦部材７１と押圧軸５２が圧接して回転抵抗を与え、スプール回転に制動力を付与するようになっている。
【００２３】
そして、図２及び図３に示すように前記小径部９１の外周に、２本のＯ−リング（弾性部材）９９が嵌合巻回された環状凹部１０１が周方向に設けられており、２本のＯ−リング９９の外径Ｄ１は回動操作部８９の外径Ｄ２よりも小径とされ、且つＯ−リング９９は小径部９１の外周から外方へ突出することなく環状凹部１０１内に収納される寸法に設定されている。
【００２４】
更に、前記小径部９１には、環状凹部１０１の軸方向外側に、該環状凹部１０１側から調節ツマミ６７の外端部に向けて順次小径で、環状凹部１０１の底径Ｄ３より最大径が大径なテーパ面１０３が設けられており、該テーパ面１０３の最大径は回動操作部８９の外径外径Ｄ２より小径とされている。
【００２５】
そして、図３に示すように、環状凹部１０１内に嵌合巻回された２本のＯ−リング９９の間やＯ−リング９９と環状凹部１０１の壁部の間に、釣糸７５の巻き終わり端部７７が係止できるようになっている。
【００２６】
その他、図１に於て、１０５はハンドル軸５９に装着された制動力調節体（スタードラグ）である。
【００２７】
本実施形態はこのように構成されているから、前記環状凹部１０１内に２本のＯ−リング９９を装着するに当たり、調節ツマミ６７のテーパ面１０３に沿ってＯ−リング９９を環状凹部１０１方向へ移動させ乍ら内径を広げて大径化させていけば、Ｏ−リング９９が環状部１０１内に簡単に装着される。そして、環状凹部１０１の回動操作部８９側の壁面度当て作用により、環状凹部１０１へのＯ−リング９９の装着が確実に行えることとなる。
【００２８】
そして、図３に示すように環状凹部１０１内に嵌合巻回された２本のＯ−リング９９の間や、Ｏ−リング９９と環状凹部１０１の壁部の間に釣糸７５の巻き終わり端部７７が係止されるが、前記テーパ面１０３を介して釣糸７５が環状凹部１０１へと簡単に誘導されて、巻き終わり端部７７がＯ−リング９９間に係止される。
【００２９】
また、回動操作部８９を摘んで調節ツマミ６７を回動操作することで、容易に支障なくスプール回転に制動力を付与することができる。
【００３０】
このように、本実施形態は、Ｏ−リング９９と環状凹部１０１からなる糸止め７９と、回動操作部８９とを調節ツマミ６７の軸方向に分離構成したので、調節ツマミ６７の回動操作時に、異物や魚のヌメリ，水分等が付着した指がＯ−リング９９が接触することがなく、また、手に付着した魚のヌメリや水分等がＯ−リング９９に付着することがなくなる。
【００３１】
このため、本実施形態によれば、図７の従来例に比し調節ツマミ６７の回動操作性が良好になると共に、調節ツマミ６９の回動操作時にＯ−リング９９が脱落してしまうことがなく、また、手に付着した魚のヌメリや水分等がＯ−リング９９に付着することがないため、Ｏ−リング９９が劣化することがなくなって糸止め７９による釣糸７５の係止が確実に行えることとなった。
【００３２】
更に、既述したように本実施形態によれば、Ｏ−リング９９の環状凹部１０１内への装着や、釣糸７５の糸止め７９への係止誘導を前記テーパ面１０３を介して容易に行えると共に、環状凹部１０１へのＯ−リング９９の装着が、環状凹部１０１の回動操作部８９側の壁面度当て作用によって確実に行える利点を有する。
【００３３】
更にまた、本実施形態によれば、制動力調節体１０５に接近して調節ツマミ６７がハンドル５７の側板１７に装着されているが、調節ツマミ６７にテーパ面１０３を設けたことで、調節ツマミ６７の回動操作時に制動力調節体１０５との間に指が挿入し易く、制動力調節体１０５が邪魔になることがない。
【００３４】
尚、前記実施形態では、Ｏ−リング９９の寸法を、小径部９１の外周から外方へ突出することなく環状凹部１０１内に収納される寸法に設定したが、糸止め７９と、回動操作部８９とを調節ツマミ６７の軸方向に分離構成したため、Ｏ−リングを小径部９１の外周から外方へ突出させてもよい。
【００３５】
また、前記実施形態では、環状凹部１０１内に２本のＯ−リング９９を嵌合巻回させたが、図４に示す調節ツマミ６７-1の如く、１本のＯ−リング９９が巻回可能な環状凹部１０１-1を設けて、Ｏ−リング９９と環状凹部１０１-1の壁部の間に釣糸７５の巻き終わり端部７７を係止させるようにしてもよい。
【００３６】
而して、本実施形態に係る糸止め７９-1によっても、前記実施形態と同様、所期の目的を達成することが可能である。
【００３７】
図５は請求項１及び請求項３の一実施形態に係る糸止めを示し、以下、本実施形態を図面に基づいて説明するが、図１乃至図３の実施形態と同一のものには同一符号を付してそれらの説明は省略する。
【００３８】
図中、６７-2は支持筒部８１のネジ部８３に螺着された調節ツマミで、該調節ツマミ６７-2は、その外周全体が、前記回動操作部８９と同一径の回動操作部８９-2とされ、内周に前記ネジ部８３に螺合するネジ部９３が設けられている。
【００３９】
そして、前記回動操作部８９-2に、２本のＯ−リング９９が嵌合可能な環状凹部１０１-2が周方向に設けられており、２本のＯ−リング９９の外径Ｄ１は回動操作部８９-2の外径Ｄ２よりも小径とされ、且つＯ−リング９９は回動操作部８９-2の外周から外方へ突出することなく環状凹部１０１-2内に収納される寸法に設定されている。
【００４０】
更に、環状凹部１０１-2の軸方向外側に、該環状凹部１０１側から調節ツマミ６７-2の外端部に向けて順次小径で、環状凹部１０１-2の底径Ｄ３より最大径が大径なテーパ面１０３が設けられている。本実施形態も、環状凹部１０１-2内に嵌合巻回された２本のＯ−リング９９の間やＯ−リング９９と環状凹部１０１-2の壁部の間に、釣糸７５の巻き終わり端部７７が係止できるようになっている。
【００４１】
本実施形態に係る糸止め７９-2はこのように構成されているから、調節ツマミ６７-2の回動操作時に、異物や魚のヌメリ，水分等が付着した指がＯ−リング９９が接触することがなく、また、手に付着した魚のヌメリや水分等がＯ−リング９９に付着することが殆どない。
【００４２】
このため、本実施形態によっても、図７の従来例に比し調節ツマミ６７-2の回動操作性が良好になると共に、調節ツマミ６９-2の回動操作時にＯ−リング９９が脱落してしまうことがなく、また、手に付着した魚のヌメリや水分等がＯ−リング９９に付着することが殆どないため、Ｏ−リング９９が劣化することがなくなって糸止め７９-2による釣糸７５の係止が確実に行えることとなった。
【００４３】
また、本実施形態も、Ｏ−リング９９の環状凹部１０１-2内への装着や、釣糸７５の糸止め７９への係止誘導を前記テーパ面１０３を介して容易に行えると共に、環状凹部１０１-2へのＯ−リング９９の装着が、環状凹部１０１-2の壁面度当て作用によって確実に行える。
【００４４】
更にまた、本実施形態も調節ツマミ６７-2にテーパ面１０３を設けたことで、調節ツマミ６７-2の回動操作時に制動力調節体１０５との間に指が挿入し易く、制動力調節体１０５が邪魔になることがない。
【図面の簡単な説明】
【００４５】
【図１】請求項１乃至請求項４の第一実施形態に係る魚釣用リールの断面図である。
【図２】糸止めが形成された調節ツマミの断面図である。
【図３】調節ツマミの平面図である。
【図４】請求項１乃至請求項４の第二実施形態に於ける調節ツマミの断面図である。
【図５】請求項１及び請求項３の一実施形態に於ける調節ツマミの断面図である。
【図６】糸止めを備えた従来の魚釣用リールの平面図である。
【図７】糸止めが形成された調節ツマミの断面図である。
【符号の説明】
【００４６】
１５，１７  側板
１９  フレーム
２９  魚釣用リール
３１  リール本体
３７  スプール軸
３９  スプール
５２  押圧軸
５７  ハンドル
６７，６７-1，６７-2  調節ツマミ
６９，７１  摩擦部材
７３  制動力付与手段
７５  釣糸
７７  巻き終わり端部
７９，７９-1，７９-2  糸止め
８１  支持筒部
８９，８９-2  回動操作部
９１  小径部
９９  Ｏ−リング（弾性部材）
１０１，１０１-1，１０１-2  環状凹部
１０３  テーパ面
【図１】
2009171914.tif 000003
【図２】
2009171914.tif 000004
【図３】
2009171914.tif 000005
【図４】
2009171914.tif 000006
【図５】
2009171914.tif 000007
【図６】
2009171914.tif 000008
【図７】
2009171914.tif 000009